(57)【要約】      （修正有）【課題】眼鏡の装着による、ノーズパッドから受ける、顔前面に残る押圧痕等の、深刻なダメージの解決手段を低価格で提供する。【解決手段】テンプル部を一か所目の支持基点Ａとし、支持基点より、テンプルの縦幅を越えて上下縦長に連なり伸びた、板状の上側Ｂと下側Ｃの二か所を支持点とする突出部からなる装着具１を、眼鏡フレームに装着し、突出部の肌当接面を、樹脂系素材による柔軟な毛ブラシ状にすること。【選択図】図１
2020060753.tif 000002
【特許請求の範囲】
【請求項１】
鼻パッド無し眼鏡フレームのフロント部を顔に固定するため、左右のテンプル肌当接側に取り付ける一対の装着具で、該装着具は、テンプル部を一か所目の支持基点とし、支持基点より、テンプルの縦幅を越えて上下縦長に連なり伸びた、板状の上側と下側の二か所を支持点とする突出部からなり、該突出部は若干肌当面に倒れ、先端部は若干外側へ反り、さらに突出部肌当接面は樹脂系素材からなる毛ブラシ状で、顔のこめかみ周辺部と頬骨周辺部に同時に当接させて取り付ける、鼻パッド無し眼鏡フレームを顔に固定するための、フロント部を三支持点により支持し、突出部二支持点肌当接面は、樹脂系素材からなる毛ブラシ状であることを特徴とする、一対の眼鏡フレーム支持装着具。
【請求項２】
前記装着具は、左右のテンプルに基点部を中心に取付け、前記フレームの挟持力に応じて長手方向に可動し、装着は着脱自在である。
【請求項３】
上記支持装着具を備えた、眼鏡フレーム。
【請求項４】
請求項１〜３記載の眼鏡フレーム支持装着具。
【発明の詳細な説明】
【技術分野】
【０００１】  本発明は、ノーズパッド無し眼鏡フレームフロント部支持において、眼鏡装着時の安定性に優れた掛け心地にするため、テンプル基点部、テンプルとテンプル上側こめかみ当接の突出部、そしてテンプル下側頬骨当接の突出部、これら三点支持により安定性に優れた掛け心地を確保し、さらに突出部の肌当接面を、樹脂系素材からなる柔軟な毛ブラシ状にすることにより、突出部肌当接面の押圧痕を軽減することができる、一対の眼鏡フレーム支持装着具に関する。
【背景技術】
【０００２】  従来の一般的な眼鏡フレームは、フロント部と二本のテンプルとからなり、これらのテンプルはフロント部の両側に設けられているブラケット（「ヨロイ」ともいう）に蝶番などの継手を介して折り畳み自在に取り付けられている。フロント部は各レンズを固定するためのリムと、該リム同士を連結するためのブリッジとからなる。また、リムの内側（中央側）には、ノーズパッドが取り付けられている。【０００３】  ところで、眼鏡を掛ける場合ノーズパッドを鼻の両脇に当てると共に、テンプルの後端部に設けられたモダン部を耳に掛け止めさせる。このとき、フロント部の全重量はノーズパッドを介して鼻（もしくは鼻骨）に加わる。そのため、長時間にわたって眼鏡を装着していると、ノーズパッドが当接する部位の肌が赤く変色し、押圧痕が残り、あるいは女性の場合、化粧落ちが生じたりする。さらに、押圧痕は経年による色素沈着をおこし、顔正面鼻の両脇に茶色く濃いシミとなって消えずに残り、特に女性にとって深刻な悩みです。
このような押圧痕や化粧落ち、さらに素沈着は顔正面に現れるため、極力回避する必要がある。【０００４】  また近年、近視等々の矯正だけでは無く、おしゃれ用や老眼での一時的な使用、ブルーライト対応や、サングラスの使用等々、年代をこえて眼鏡の使用は増え、ノーズパッドによる押圧痕の回避は強く望まれる。【０００５】  このような問題点を解決するため長年に渡り、多くのノーズパッド無し眼鏡フレームが、発明がされてきた。
【先行技術文献】
【特許文献】
【０００６】  例えば、特許文献１はテンプル本体に取り付けられたパッドを頬骨にのせ、テンプル本体後端部であるモダン部が側頭部に密着して、側頭部を抱き込むことでフロント部を支持することを特徴とする眼鏡フレーム。【０００７】  特許文献２はテンプル後方のモダン部本体の後ろ支持部と、後ろ支持部の前端から前方に延びる、金属芯が挿入されたライン状の前支持部とからなり、前支持部を使用者の側頭部に当接させることにより、フロント部を支持することを特徴とする眼鏡フレーム。
【特許文献１】特開２０１６−２０６３８９号公報
【特許文献２】実用新案登録第３１９８９６４号
【発明の概要】
【発明が解決しようとする課題】
【０００８】  ところで、従来のノーズパッド無し眼鏡フレームにおいて、フロント部ずり落ち防止は、テンプルやモダン部を加工して取り付けられた、頬骨や側頭部に当接する部位を左右に設け、フロント部を支持している。【０００９】  いづれも支持点は左右各一点で安定性は低く、そのため安定性を確保するために、テンプルで側頭部を抱き込むことや、モダン部を側頭部に圧接させ抱き込まなければならず、側頭部への圧迫感があり快適とは言い難い。【００１０】  また、テンプルやモダン部の使用者個々の顔の大きさや、左右のバランスに合わせた専門的な調整が必要となり、個人での柔軟な対応が難しい。【００１１】  そして、これまでのノーズパッド無し眼鏡フレームの多くは、眼鏡本体の加工が必要で、特定のデザインに限定され、フレームデザインの選択肢は無い。【００１２】  さらに、製造コスト面においても、通常の眼鏡フレーム本体に特殊な加工をするため、その多くは高価格帯となり、広く一般への普及には致っていない。
【課題を解決するための手段】
【００１３】  本発明は以上のような課題を解決するため、長年の試行錯誤をかさね、ノ―ズパッド無し眼鏡フレームを使用する時、フロント部支持をするため、左右のテンプルに取り付ける一対の、支持装着具を提供する。【００１４】  本発明の装着具は、若干の弾性を有する縦長の板状で、テンプル縦幅より上下に連なり伸びた突出部からなり、該突出部の肌当接面は、樹脂系素材からなる毛ブラシ状である。【００１５】  本発明の装着具は、テンプルを基点部とする支持点から、肌に当接するテンプル上側に突出したこめかみ部支持点と、テンプル下側に突出した頬骨部支持点の、縦に連なる三支持点からフロント部支持をする。【００１６】  本発明の装着具の突出部は、テンプルを基点部とする支持点から、テンプルの縦幅を超えて、こめかみ部と頬骨部に当接するように上下に伸びる突出部からなり、上下共に肌当接方向に若干倒れ、肌当接面先端は、上下共に肌より若干外側へ反る。【００１７】  該装着具のテンプル上の支持基点部の縦幅は、テンプル縦方向の幅とほぼ同じとするが、メタル系の細いテンプル及び全てのテンプルにおいて、支持基点部の縦幅はここに限定するものではない。
また、該装着具テンプル長手方向横幅も、ここに限定するものではない。【００１８】  テンプルの縦幅を越えた上下の各突出部の肌当接面を、樹脂系素材からなる柔軟な毛ブラシ状にすることで、当接する肌への負担を軽減する。
ただし、突出部の材質、大きさ、形状、色はここに限定するものではない。また、毛ブラシ状の密度や高さもここに限定するものではない。
さらに、上下突出部と基点部各々の材質、大きさ、形状、色は同一あるいは均一であるとここに限定するものではない。【００１９】  本発明装着具の眼鏡フレームへの装着方法は、テンプル当接面側の基点部の上端と下端をつなぐ、一本以上の柔軟な樹脂系素材からなるベルトを設け、該ベルトにモダン部後端よりテンプルを挿入し、ベルトの挟持力により装着する。
また、装着具基点部のテンプル当接側と、テンプルの肌当接側に着脱自在な面ファスナーを取付け装着する。
さらに、メタル系の細いテンプルは、装着具テンプル当接側に面ファスナーを取付け、フック面とループ面でテンプを挟み装着することも可能である。
ただし、装着方法はここに限定するものではない。【００２０】  基点部に設けたベルトの柔軟性により、長手方向に移動させながら、左右の装着具別々に、眼鏡使用者任意での快適な位置を決定し装着できる。
また、面ファスナーでの装着も着脱自在で、使用者の快適な装着具の位置を任意で決定し装着できる。【００２１】  本発明の製造において、板状の基板を樹脂系素材でコーティング成形をすることや一体成形など、どのような製造方法を選択しても、過去のテンプルを加工するノーズパッド無し眼鏡フレームの発明と比較して、本発明の装着具は、低コストでの製造が可能である。【００２２】  なお、本発明の目的に添ったものであれば、上記の発明を適宜組み合わせた構成も採用可能である。
また、本発明の装着具は、ノーズパッドを有する眼鏡フレームにおいても、装着可能である。
【発明の効果】
【００２３】  本発明は、ノーズパッド無し眼鏡フレームのフロント部を支持することにより、顔前面に残るノーズパッドの押圧による押圧痕や、経年による押圧痕の色素沈着、また女性の化粧落ち等々を、回避することができる。【００２４】  本発明の装着具をノーズパッド無し眼鏡フレームに装着すると、三点支持により、過去のどの発明に比較しても、フレーム全体の支持安定性は最も優れ、過去の多くの発明に見られる不安定なフロント部支持をカバーするために、テンプルを側頭部に圧接させたり、モダン部で側頭部を抱き込んだりする必要が無く、側頭部への圧迫感も無く快適に過ごせる。【００２５】  また、長手方向への前後及び左右単独で、快適な位置への移動が可能なため、個々の顔の大きさや左右のバランスの違いへの調整が、使用者自身で容易に対応できる。【００２６】  本発明の装着具は着脱自在であるため、過去の発明のように、決められたフレームデザインに限定されること無く、好みのデザインの選択肢が格段に増え、ファッションの幅も大きく広がり、より一層お洒落を楽しむことができる。【００２７】  本発明装着具の、テンプルの上下二支持点の肌へ当接する突出部は、肌へ当接することにより、押圧痕が残る。しかし、突出部を樹脂系素材からなる毛ブラシ状にすることにより、押圧から生じる赤く残る押圧痕の回復を早め、経年による色素沈着も格段に軽減することができる。【００２８】  本発明の装着具の製造コスト面において、過去に発明されたフレーム本体個別毎の特殊な加工をする、高度な技術や労力を必要とするものと比較して、大量生産による低コストでの製造が可能なため、低価格での提供が可能となり、多くの人達に広く普及し、特に多くの女性に喜んでいただけることを確信する。
【図面の簡単な説明】
【００２９】
【図１】眼鏡フレーム支持装着具の斜め背面図
【図２】眼鏡フレーム支持装着具の断面図
【図３】眼鏡フレーム装着具本体基板の正面図
【図４】眼鏡フレーム装着具本体基板の側面図
【図５】眼鏡フレーム装着具をテンプルへ装着した状態を示す図
【図６】眼鏡フレーム装着具の使用した状態を示す図
【図７】眼鏡フレーム支持装着具の正面図
【発明を実施するための形態】
【００３０】  ノーズパッド無し眼鏡フレームのフロント部支持をするため、テンプルの上下に突出した縦長の板状で、突出部はこめかみ周辺部と頬骨周辺部の上下二か所の支持点と、テンプル上の基点、合わせて三点支持からなる一対の装着具である。
【００３１】  そして、突出部肌当接面は上下共、樹脂系素材からなる毛ブラシ状である。
【符号の説明】
【００３１】  Ａ  テンプル部支持基点
Ｂ  こめかみ部当接突出部の支持点
Ｃ  頬骨部当接突出部の支持点
１  眼鏡フレーム支持装着具本体
２  樹脂系素材からなる毛ブラシ
３  ベルト
４  基板
５  テンプル
【図１】
2020060753.tif 000003
【図２】
2020060753.tif 000004
【図３】
2020060753.tif 000005
【図４】
2020060753.tif 000006
【図５】
2020060753.tif 000007
【図６】
2020060753.tif 000008
【図７】
2020060753.tif 000009